(57)【要約】      （修正有）【課題】津波など水害時、浮力体を所持して人命を守る水害時用救命具を提供する。【解決手段】６リットルポリタンクを入れたクーラーボックスと、保冷バッグに入れた、救命胴衣と浮き袋付き編バックを車のトランクに配した事を特徴とし、また、救命胴衣の右胸に配したポケット４ｈに、防水ケースに入れた携帯電話２１と笛１７を入れ、小物入れにケミカルライトと自家発電用ライトを配置する。救命胴衣の代わりに、腰ベルト５に装着する空の２リットルペットボトルと、胸に装着する空気を入れた、浮き輪又は、自転車チューブを折り曲げ２重にした物からなる構成としてもよい。【選択図】図１
0003187662.tif 000002
【実用新案登録請求の範囲】
【請求項１】
車のトランクに救命胴衣４を１個、６リットルポリタンク１を1個、クーラーボックス２を１個、網バッグ３に付けた浮き袋３aからなり、
一人が救命胴衣４を着け、６リットルポリタンク１を、浮き袋付きの網バッグ３に入れ、ベルト３ｇにて胸と腹部を身体に一周させて、バックル３ｈで結合し、寸法調整部で身体にフィットさせて装着し、網バッグ３の下に在るベルト３iで、腰ベルト5に通して長さを調整して繋ぐ。２リットルペットボトル３ｊも付加して腰ベルト５の両脇に付け、叉別の人が、浮き輪又は自転車のチューブに空気を入れて、胸に装着する。自転車チューブ２０の場合曲げて胸に２重にして装着し、クーラーボックス２のベルト２ａを首に掛け長さを調整し、ベルト２bを身体に一周させて、バックル２cで結合し寸法調整部で身体にフィットさせ、腰ベルト5とクーラーボックス２のベルト２aの下中央部を紐６で結び括り付けて装着することを特徴とする水害時用救命具。
【請求項２】
オレンジ色の救命胴衣４の右胸に配したポケット４ｈに、防水ケースに入れた携帯電話２１と笛１７を入れ、オレンジ色のヘッドキャップ１５は単体で被り、携帯電話２１にて消防署に津波被害と現在地を連絡し、ヘッドキャップ１５、救命胴衣４、救命胴衣４の肩に反射板４ｋを配して目立つ様にし、笛１７で音を鳴らし、夜はケミカルライト１３と自家発電用ライト１２により、遠くからも位置を救助隊に知らせることを特徴とする請求項１記載の水害時用救命具。
【考案の詳細な説明】
【技術分野】
【０００１】
本考案は、津波等の水害時に使用する救命具に関するものである。
【背景技術】
【０００２】
東日本大震災の津波による死者の９０％が水死であり、６０歳−６９歳が１９％、７０歳−７９歳が２２％、８０歳以上が22％であった。また、ヘドロ、砂  油が肺に入った可能性も死亡原因にあげられる。
また、東海地震など、日本は津波に襲われる危険がこれからも十分有りうる。
２０１３年5月２５日現在、南海トラフ全域で震度8の地震が、３０年以内に６０〜７０％と、政府の地震調査委員会が予測しており、有識者会議は、震度9が起きると最大で、死者３２万人に上がると被害想定している（中日新聞より）。
これは、津波の被害も甚大だと想定される。
【０００３】
このための救命具として、水に浮く防災型リュックサックがあった。このリュックサックは、両側ポケットにペットボトルを入れ、体に固定する固定ベルトが装着され、本体下部に水抜き穴を開け、本体内に発泡樹脂板と空のペットボトルを入れたものであった（特許文献１参照）。
【先行技術文献】
【特許文献】
【０００４】
【特許文献１】特開２０１３−３１６１５号公報
【考案の概要】
【考案が解決しようとする課題】
【０００５】
この防災型リュックサックは、浮力が２リットル×２＋０.５リットル×２＋発砲樹脂板（頭部）なので救命胴衣規定の浮力７.５ｋｇより少ない。
頭部の発泡材が津波の時は、外れ、背中や頭に、浮遊物が当たり怪我をする恐れもある。
津波の時は汚泥、油などが肺に入ることにより、身体に致命傷を与える危険が有るので、速やかに顔を水面上に出す事が重要であるが、この点の配慮が何らなされていない。
家の奥に仕舞い込んで、いざ必要な時何処に在るか忘れる恐れも十分ある。
以上の欠点があった。
【０００６】
本考案は、このような欠点に鑑み、車のトランクに入れることができ、災害時に容易に使用することを目的とする。
【課題を解決するための手段】
【０００７】
本考案は、６リットルポリタンク1個と、浮き袋付きバッグ1個、クーラーボックス１個、救命胴衣1個、津波の直前に入手する２リットルペットボトルからなる浮体とで構成し、車のトランクに、浮体と共に、６リットルポリタンク入れの網状のバッグ1個、ベルトを３個、丈夫で結ぶことができる紐を短いタイプ５個、長いタイプ１個、タイラップを７個、紐を切断するニッパを１個、ペットボトルの蓋７個、携帯電話防水用のケース１個、Ａ４位のナイロン袋２０袋、軍手３足、長めのタオル３枚、自家発電用ライト１個、ケミカルライト１個、笛１個、ヘッドキャップ２個、ゴーグル１個、小物入れ２個、フットポンプ1個、ビニールの浮き輪1個、自転車のチューブ１個、などを収納したことを特徴とする。
【考案の効果】
【０００８】
本考案によれば、６リットルポリタンク1個と、浮き袋付き網バッグ1個、クーラーボックス１個、折りたたみ救命胴衣1個であるため、車のトランクに入れることができ、災害時に容易に使用することが出来る。トランクは普段スペースが有り邪魔になる時だけ、座席に容易に移動出来、実用的である。
津波に対して、トランクの最小スペースを利用して、出来るかぎりの人命を、守ることが出来、安価で確実、実用性を有している。
【図面の簡単な説明】
【０００９】
【図１】本考案に係る水害時用救命具の装着状態を示す正面図である。
【図２】同、側面図である。
【図３】同、小物入れ示す斜視図である。
【図４】同、中身の収納状態を示す正面図である。
【図５】本考案に係る水害時用救命具の別の例を示す正面側斜視図である。
【図６】同、背面側斜視図である。
【図７】同、装着状態を示す正面図である。
【図８】同、背面図である。
【図９】同、クーラーボックスを示す斜視図である。
【図１０】同、中身の収納状態を示す平面図である。
【図１１】同本考案に係る水害時用救命具の別の例の使用状態を示す正面図である。
【図１２】同、背面図である。
【考案を実施するための形態】
【００１０】
津波の時速やかに水面上に顔を出すという事と、打撲から身を守るという目的を、救命胴衣と、６リットルポリタンク、クーラーボックス、２リットルペットボトル、浮き袋付き網バッグ、からなる浮体と、ベルトと、紐と、により実現した。
【実施例１】
【００１１】
本考案に係る水害時用救命具を、図１−図４に基づいて説明する。
【００１２】
救命胴衣４を１個、６リットルのポリタンク１を1個、クーラーボックス２を１個、６リットルポリタンク１入れの網状浮き袋付きバッグ３を1個、ベルト５を３個、丈夫で結ぶことができる紐６を短いタイプ５個、長いタイプ１個、タイラップ７を７個、紐を切断するニッパを１個、ペットボトルの蓋を７個、携帯電話防水用のケースを１個、又はナイロン袋１１を２０袋、軍手を３足、長めのタオル１４を３枚、自家発電用ライト１２を１個、ケミカルライト１３を１個、笛１７を１個（図示略）、ヘッドキャップ１５を２個、ゴーグル１８を1個、小物入れ１９を２個、フットポンプを1個、ビニールの浮き輪を1個、自転車のチューブ１個、をそれぞれ用意しておく。
【００１３】
救命胴衣４は、胸と背中に縦２５ｃｍ横１３ｃｍ位の発砲プラスチック等の浮力体４ａを、２枚ずつ入れてあるベストに、首の周りの襟に首掛け式の、空気で膨張する気密性の浮き袋４ｂを組み込んでなるものである。
気密性の浮き袋４ｂは、首の周りに下向きＵ字状に装着されている。つまり、左胸上部に有る空気入れ口４ｃから、フットポンプで空気を入れ膨張させる仕組みである。口でも十分空気は入る物である。
【００１４】
空気入れ口４ｃは気体の流入を許し、流出を防ぐ逆止め弁（自転車の空気入れ口式：図示略）が装着組されている。
【００１５】
発砲ポリエチレンなどの緩衝材を入れた、オレンジのヘッドキャップ１５を被る。
ヘッドキャップ１５に付いている紐で、顎に通し結ぶ。これは、緩衝材により浮力が生じ、脱げる恐れを防ぐ為である。
【００１６】
空気入れ口４ｃから、空気をフットポンプで入れて、キャップをする。
【００１７】
浮き袋４ｂを首に通し掛ける。身体の前にて、救命胴衣４のファスナー４ｄを閉める。
【００１８】
救命胴衣4の胸と腹部にベルト４ｅがあり、バックル４ｆで結合し、両脇の寸法調整部で身体にてフィットさせ、一番下に付いている紐４ｇを結ぶ。
【００１９】
右胸に在るポケット４ｈに、携帯電話防水用のケースに入れた携帯電話２１と笛１７を入れる。
【００２０】
小物入れ１９を右後ろに装着して、腰ベルト５を締め、救命胴衣４の下に在るベルト４ｉで、腰ベルト５に繋ぐ。
【００２１】
小物入れ１９は、水が溜まらない様に、下が網状になっており、タオル１４、紐６、ケミカルライト１３、自家発電ライト１２を、それぞれナイロン袋１１に入れ、密封して中に入れる。
【００２２】
ゴーグル１８を着用する。
【００２３】
軍手を着ける。
【００２４】
本案は、車のトランクに収納するものであり、夏の炎天下でも入れて置くので、従来の膨張式救命胴衣に装着されている内臓ボンベ式は、故障の不安があるため、本案では、フットポンプで空気を入れるものとする。
【００２５】
津波が冬の時もあり、水の中なので、身体の体温を救命胴衣４で最良状態に保つ事を可能にしている。
【００２６】
また、救命胴衣４には、発砲プラスチック等の浮力体４ａが胸と背中に２枚ずつ在り、浮遊物による負傷防止になる。
【００２７】
浮き袋４ｂは畳むことが出来、収納時スペースを少なく出来る。
【００２８】
救命胴衣４の発砲プラスチック等の浮力体４ａだけ使用する場合に比べ、首の浮き袋４ｂにより、顔を水面上に出す事を早める。
【００２９】
色はオレンジで目立つ色、肩の所に光の反射材４ｋがある。
【００３０】
空気入れ口４ｃが左胸上部にある。
【００３１】
笛１７と防水ケースに入れた携帯電話２１入れ用の右胸ポケット４ｈを配してある。
【００３２】
これにより津波時速やかにより安全に、水面に顔を上向きに出せる事が可能となる。
【００３３】
このため、体が浮き、災害時でも助かる可能性が極めて増大する。
【実施例２】
【００３４】
図５−図１２に、別の例を示してある。
【００３５】
本例は、前例に自転車のタイヤチューブを組み入れた網バッグ３を1個、６リットルポリタンク１を1個、クーラーボックス２を１個、２リットルペットボトルを２個、自転車チューブ１個又は浮き輪１個、を付加して用意したものである。
【００３６】
本例の使用方法は、前記救命胴衣４により救命される人に加え、別の人が、ヘッドキャップ１５を装着し顎に紐を通し結ぶ。網バッグ３に付いている浮き袋３ａに、空気をフットポンプで、左胸上部の所に在る、空気入れ口３ｂから入れる。この浮き袋は、炎天下のトランクに置く為、ナイロン製は、劣化する恐れがあるので、ゴム製又はそれに順ずる劣化しない素材を使用する。
【００３７】
６リットルポリタンク１を網バッグ３に入れて、上部のファスナー３ｃを締める。
【００３８】
網バッグ３の縦横の真ん中に装着されているベルト３ｄで、ポリタンク１をしっかりと、縦と横に締め付ける。
【００３９】
右胸に在るポケット３ｅに、携帯電話防水用のケースに入れた携帯電話２１と、笛１７を入れる。
【００４０】
小物入れ１９を右後ろに着けて、腰ベルト５をする。
【００４１】
小物入れ１９に、タオル１４、紐６、ケミカルライト１３、自家発電用ライト１２を、それぞれナイロン袋１１に密封して入れ、中に入れる。
【００４２】
浮き袋３ａを首に掛けて、網バッグ３に付いている紐３ｆを、首に掛け長さを調整する。
【００４３】
この網バッグ３の位置が重要で、顎の少し下とする。
【００４４】
左右にずれても下過ぎても、身体が浮いた時、重心の関係で顔が上手く水面上に浮かない恐れがある為である。網バッグ３に付いているベルト３ｇにて、胸と腹部を身体に通し、バックル３ｈで結合して、長さ調整部にて調節して、身体に密着させる。
身体に密着することが重要である。
浮力により上に網バッグ３がずれる恐れがある為と、２箇所きっちり締める事
で、締め付けの痛みを、和らげる効果がある為である。
【００４５】
網バッグ３の下に在るベルト３ｉで、腰ベルト５に繋ぎ通し締め付ける。
【００４６】
津波が来る時に、既に浮き３ａを膨らませているので、身体から上にバッグ３が抜ける事を、腰ベルト５で防いでいる。
【００４７】
股にベルトを通すのが有効だが、女性の場合、スカートを穿いていたりして抵抗が有り、躊躇している間に被害に遭う危険があるので、腰ベルト５を使用した所以である。
【００４８】
備えのペットボトルの蓋を利用して、コンビニで２リットルのペットボトル３ｊを２本、又はゴミ箱から５００ｃｃ数本を入手し、何本か有るだけのペットボトルを、残った紐６で真ん中の、括れの所を２重に巻き結ぶ。
【００４９】
それを腰の両脇に、紐６で腰ベルト５に括り付ける。ペットボトルは左右対称に、同じ浮力（本数）で位置も同じ様にする。
【００５０】
左右対称により身体が傾いて浮くのを防ぐ。
【００５１】
これは身体を疲れさせない為に重要である。
【００５２】
それにより水害時、水面にその人の身体を浮かせる事が可能になる。
【００５３】
最後に軍手を着用する。
【００５４】
またさらに、図１１、図１２に示すように、別の人がタオル１４を頭に巻き、浮き輪２２又は自転車のチューブ２０にフットポンプで空気を入れる。自転車のチューブ２０は空気入れ口が上向きに為る様に2重に折り曲げ、身体に通し両脇の下に置く。空気入れ口は左胸部に位置し身体に危険がないか確認する。浮き輪２２の場合そのまま胸に装着する。クーラーボックス２の、ベルト２aの長さを調整して首に掛ける。位置は顎の少し下とする。クーラーボックスの横のベルト２bを身体に回しバックルで繋ぎ、長さを調節して身体に密着させる。腰ベルト５をし、紐６でクーラーボックスのベルト２aの下中心部と腰ベルト５を繋ぎ結ぶ。最後に軍手を着ける。
【００５５】
００５４の自転車チューブは、空気入れ口が内側だと胸に当たる恐れが有るので、
側面つまり浮き輪みたいに上向きに取り付ける。
【００５６】
クーラーボックス２は、携帯電話２１、紐６、タイラップ７、ナイロン袋１１、自家発電用ライト１２、ケミカルライト１３、タオル１４、を入れる事が出来る。
それぞれナイロン袋１１に密封して入れる。
【００５７】
クーラーボックス２は、６リットルポリタンク１を収納出来る大きさにして、クーラーボックス２に６リットルポリタンク１を収納しトランクに置き、収納部分を少なくする事が可能である。
【００５８】
又、クーラーボックス２は、保冷が可能な為、炎天下で劣化する様な浮き袋付きの網バッグや、ケミカルライト、ビニールの浮き輪、ナイロン袋、自家発電用ライト、ゴーグル、フットポンプを中に収納して、トランクに長期間置いていても、劣化を防ぐ事も出来る。叉００５７のようにクーラーボックスに６リットルポリタンクを収納する時は、前記の物を、アルミニウムとポリエチレンで出来た保冷バッグに収納する。
【００５９】
救命胴衣は炎天下による劣化防止の為、トランクの中でアルミニウムとポリエチレンで出来た保冷バッグに収納する。
【００６０】
以上により、計３人助けられる可能性がある。
【００６１】
使用者が一人の時、救命胴衣４を着用し、クーラーボックス２に、紐６、タイラップ７、ナイロン袋１１、ケミカルライト１３、ナイロン袋に密封して入れた、自家発電用ライト１２、タオル１４、などを入れ、胸に抱き、より安全に水面に上昇することが出来る。
【００６２】
紐にて木や鉄柵などの固定物に括り、身体を流されないように、固定して安全にする事も可能である。
【００６３】
そして、身体の消耗を防ぐ事が出来る。
【００６４】
このやり方を、他の人が見ても分かるように図入りの要領書を入れて置く。
【００６５】
水が綺麗な所での水難事故でも、釣り中の海中転落事故（内磯釣り６割）の場合の死亡者の割合は、救命胴衣の着用者が１９％、非着用者が５３％、と２．７８倍多い（平成２２年海上保安庁資料より）。
【００６６】
津波は濁流なのでまだ危険である。
【００６７】
また体温を奪われる事で、体力の消耗を早くし、溺死に至る危険性が高い。
【００６８】
急激な体温の低下は、心臓発作を引き起こす恐れも有る。
【００６９】
パニック状態に陥った事で、水中から顔を上げる事が出来ない恐れも有る。
【００７０】
本案は、顔を水面に出来るだけ早く出す事が可能なので、人命救助に役立つと考えられる。
【００７１】
ナイロン袋１１は、携帯電話２１を水から守る事が出来、救助を求める事を、可能にする。
スマートフォンの場合、携帯電話防水用のケースに収納したまま電話やメールも出来、写真も写せるのでそれを利用する。代用としてスマートフォンをナイロン袋に密封して入れ、電話もメールも写真も可能である。携帯電話の回線の混乱も予想され、メールの方が有効である。
【００７２】
携帯電話２１、自家発電用ライト１２、又はケミカルライト１３、笛１７、救命胴衣４の反射材４ｋ、オレンジのヘッドキャップ１５は、救助隊への合図、又は発見しやすい物として使用する。
【００７３】
本例の使用方法は、前記救命具により救命される人に加え、別の人が自家発電用ライト１２を使用し、夜間に周囲を確認する事も可能である。
【００７４】
長いタオル１４、又はヘッドキャップ１５は、頭を守り、軍手は負傷防止に役立つ。
【００７５】
ゴーグル１８は目を守り、水中でも周囲を確認する事が可能である。
【００７６】
タオル１４は切傷の時巻いて止血、腕骨折の時、腕固定に使用出来る。
【００７７】
タイラップ７は紐６の代わりの予備である。
【００７８】
ビニールの浮き輪は、身体を丁度通すサイズにし、クーラーボックス２に予備で入れて置く。
【産業上の利用可能性】
【００７９】
本考案は  ペットボトル３jと６リットルポリタンク１を1個、クーラーボックスを１個、を救助された後、水の補給の運搬でも利用することができる。
【００８０】
本考案は、水害時用の救命具として使用する他、例えば急流下りの際の安全具（救命具）としても利用できる。
【００８１】
クーラーボックスは、野外のレジャーの際、氷を入れて缶飲料、ビン飲料を入れたり、熱中症対策で飲み物を入れて置く事が出来る。
【符号の説明】
【００８２】
１  ６リットルポリタンク
２  クーラーボックス
３  ポリタンク入れ網状のバッグ
４  救命胴衣
５  ベルト
６  紐
７  タイラップ
１１  ナイロン袋
１２  自家発電用ライト
１３  ケミカルライト
１４  タオル
１５  ヘッドキャップ
１７  笛
１８  ゴーグル
１９  小物入れ
２０  自転車のチューブ
２１  携帯電話
２２  浮き輪
【図１】
0003187662.tif 000003
【図２】
0003187662.tif 000004
【図３】
0003187662.tif 000005
【図４】
0003187662.tif 000006
【図５】
0003187662.tif 000007
【図６】
0003187662.tif 000008
【図７】
0003187662.tif 000009
【図８】
0003187662.tif 000010
【図９】
0003187662.tif 000011
【図１０】
0003187662.tif 000012
【図１１】
0003187662.tif 000013
【図１２】
0003187662.tif 000014
【手続補正書】
【提出日】平成25年9月19日(2013.9.19)
【手続補正１】
【補正対象書類名】実用新案登録請求の範囲
【補正対象項目名】全文
【補正方法】変更
【補正の内容】
【実用新案登録請求の範囲】
【請求項１】
６リットルポリタンク（１）を入れたクーラーボックス（２）と、保冷バッグに入れた、救命胴衣（４）と浮き袋（３ａ）付き編バック（３）を車のトランクに配した事を特徴とした水害時用救命具。
【請求項２】
オレンジ色の救命胴衣（４）の右胸に配したポケット（４ｈ）に、防水ケースに入れた携帯電話（２１）と笛（１７）を入れ、小物入れ（１９）にケミカルライト（１３）と自家発電用ライト（１２）を入れた事を特徴とする請求項１記載の水害時用救命具。
【請求項３】
救命胴衣（４）の代わりに、腰ベルト（５）に装着する空の２リットルペットボトルと、胸に装着する空気を入れた、浮き輪（２２）又は、自転車チューブ（２０）を折り曲げ２重にした物からなる事を特徴とする請求項１記載の水害時用救命具。
【請求項４】
クーラーボックス（２）の蝶番が付いている側の両側面中央縁部に３ｍｍ×３０ｍｍの、ベルト（２ｂ）を通す穴を縁外側に設け、身体にベルト（２ｂ）で一周して装着出来る構造をなし、ベルト（２ａ）を首に掛け、腰ベルト（５）とベルト（２ａ）の下部中央とを紐（６）で結び付けて、クーラーボックス（２）を胸に装着する事を特徴とした請求項１記載の水害時用救命具。
【請求項５】
１  頭に被る緩衝材を内設したヘッドキャップ（１５）
２  目に装着するゴーグル（１８）
３  手に着ける軍手
４  携帯電話（２１）などを入れるナイロン袋（１１）
５  止血などに使うタオル（１４）
以上の構成よりなるものを更に含む事を特徴とした請求項１記載の水害時用救命具。
【手続補正２】
【補正対象書類名】明細書
【補正対象項目名】０００７
【補正方法】変更
【補正の内容】
【０００７】本考案は、６リットルポリタンク１個と、浮き袋付きバッグ１個、クーラーボックス１個、救命胴衣１個、津波の直前に入手する２リットルペットボトルからなる浮体とで構成し、車のトランクに、浮体と共に、６リットルポリタンク入れの網状のバッグ１個、ベルトを３個、丈夫で結ぶことができる紐を短いタイプ５個、長いタイプ１個、タイラップ（登録商標）を７個、紐を切断するニッパを１個、ペットボトルの蓋７個、携帯電話防水用のケース１個、Ａ４位のナイロン袋２０袋、軍手３足、長めのタオル３枚、自家発電用ライト１個、ケミカルライト１個、笛１個、ヘッドキャップ２個、ゴーグル１個、小物入れ２個、フットポンプ１個、ビニールの浮き輪１個、自転車のチューブ１個、などを収納したことを特徴とする。
【手続補正３】
【補正対象書類名】明細書
【補正対象項目名】００１２
【補正方法】変更
【補正の内容】
【００１２】救命胴衣４を１個、６リットルのポリタンク１を１個、クーラーボックス２を１個、６リットルポリタンク１入れの網状浮き袋付きバッグ３を１個、ベルト５を３個、丈夫で結ぶことができる紐６を短いタイプ５個、長いタイプ１個、タイラップ（登録商標）７を７個、紐を切断するニッパを１個、ペットボトルの蓋を７個、携帯電話防水用のケースを１個、又はナイロン袋１１を２０袋、軍手を３足、長めのタオル１４を３枚、自家発電用ライト１２を１個、ケミカルライト１３を１個、笛１７を１個（図示略）、ヘッドキャップ１５を２個、ゴーグル１８を１個、小物入れ１９を２個、フットポンプを１個、ビニールの浮き輪を１個、自転車のチューブ１個、をそれぞれ用意しておく。
【手続補正４】
【補正対象書類名】明細書
【補正対象項目名】００５６
【補正方法】変更
【補正の内容】
【００５６】クーラーボックス２は、携帯電話２１、紐６、タイラップ（登録商標）７、ナイロン袋１１、自家発電用ライト１２、ケミカルライト１３、タオル１４、を入れる事が出来る。
それぞれナイロン袋１１に密封して入れる。
【手続補正５】
【補正対象書類名】明細書
【補正対象項目名】００６１
【補正方法】変更
【補正の内容】
【００６１】使用者が一人の時、救命胴衣４を着用し、クーラーボックス２に、紐６、タイラップ（登録商標）７、ナイロン袋１１、ケミカルライト１３、ナイロン袋に密封して入れた、自家発電用ライト１２、タオル１４、などを入れ、胸に抱き、より安全に水面に上昇することが出来る。
【手続補正６】
【補正対象書類名】明細書
【補正対象項目名】００７７
【補正方法】変更
【補正の内容】
【００７７】タイラップ（登録商標）７は紐６の代わりの予備である。
【手続補正７】
【補正対象書類名】明細書
【補正対象項目名】００８２
【補正方法】変更
【補正の内容】
【００８２】１  ６リットルポリタンク
２  クーラーボックス
３  ポリタンク入れ網状のバッグ
４  救命胴衣
５  ベルト
６  紐
７  タイラップ（登録商標）
１１  ナイロン袋
１２  自家発電用ライト
１３  ケミカルライト
１４  タオル
１５  ヘッドキャップ
１７  笛
１８  ゴーグル
１９  小物入れ
２０  自転車のチューブ
２１  携帯電話
２２  浮き輪